(57)【特許請求の範囲】
【請求項１】
ＩＤを付したラウンドブリリアントカットダイヤモンドを寸法測定装置で測定した寸法をコンピュータグラフィックで読み出し、ハート＆キューピッド画像及び該ＩＤを出力する工程、あるいは、ＣＣＤカメラで前記ダイヤモンドのハート＆キューピッド画像の撮像及びＩＤを出力する工程と、８つのハートマークの対称性、各ハート面積のバラツキ、各ハート先端部のズレ、各ハートの切れ込み深さ、各ハートの左右ショルダー幅の全体幅に対する割合、各ハートとその放射線上の内側に位置するＶマークとの境界部の間隔が対応する各ハートの全体幅に対する割合、前記各Ｖマークの面積と標準のハート面積の比、前記Ｖマークの右側の長さと左側の長さの比のデータをコンピュータのデータベースに格納し、該データを演算処理して該ハートマークの良否のランク分けの判定をする工程と、８つのキューピッドマークの対称性、各キューピッド面積の最大値と最小値の割合から求めるバラツキ度、各キューピッドの外側先端部と中間の交点と中心側の先端を結ぶ直線が重なるか、または角度を有するズレがあるか、各キューピッドの矢先先端部がガードルに鋭く接するか、またはガードル部に幅をもって接するかのデータをコンピュータのデータベースに格納し、該データを演算処理して該キューピッドマークの良否のランク分けの判定をする工程とを備えていることを特徴とするダイヤモンドのハート＆キューピッド光学効果の良否判定方法。
【請求項２】
ハートマーク及びキューピッドマークの各対称性、各形状のズレ、ハートマークとＶマーク間の距離のズレを数値化してコンピュータで読み取り、該コンピュータで判定処理して良否のランク分けの判定をする工程を備え、そのランク分けの判定は可の領域と、不可の領域と、可及び不可の領域が存する３つの判定領域手段、または可の領域と、不可の領域が存する２つの判定領域手段を備えていることを特徴とする請求項１記載のダイヤモンドのハート＆キューピッド光学効果の良否判定方法。
【請求項３】
ハートマーク画像及びキューピッドマーク画像の明暗差の個数をコンピュータで読み出し、該コンピュータによる判定処理にて良否の判定をする工程を備えていることを特徴とする請求項１又は２記載の前記ダイヤモンドをＣＣＤカメラにて撮像した場合におけるダイヤモンドのハート＆キューピッド光学効果の良否判定方法。
【請求項４】
ＣＣＤカメラによる実写画像によりハート＆キューピッド画像を得る手段、又は特定プロポーションで研磨したラウンドブリリアントカットダイヤモンドに対して照射した光のパターンの各部位を寸法測定装置で測定した寸法をコンピュータグラフィックで読み出し、ハート＆キューピッド画像を得る手段と、前記ダイヤモンドに付したと同一のＩＤを実写画像又はコンピュータグラフィック画像に読み出す手段と、該ハート＆キューピッド画像をコンピュータのデータベースに格納する手段と、ＩＤで管理された各ハート＆キューピッド画像を基にして、各判定項目についてコンピュータのデータベースから読み出された数値に基づいて演算するコンピュータの演算処理装置と、該演算処理に基づき前記ＩＤで管理された各ハート＆キューピッド画像に関する各判定項目の良否判定チャート及び良否判定手段とを備え、該各判定項目の良否判定チャートは、同一円周上に中心から放射状に配置された８つのハートマーク画像のそれぞれの角度による対称性の良否判定チャートと、８つの各ハート画像の面積が適正なハート画像の大きさであるか否かの良否判定チャートと、ハート画像の先端部のズレの良否判定チャートと、ハート画像の切れ込みの良否判定チャートと、各ハート画像の左右のショルダー幅の良否判定チャートと、各ハート画像とそのハート画像先端方向に位置するＶマークとの境界部の間隔の良否判定チャートと、ダイヤモンドの各ハート画像の先端部より内側に位置するＶマークの大きさの左右の長さのバラツキの良否判定チャートと、ハート画像の斜め側面とそのハート画像の内側に位置するＶマークとの間隔において、Ｖマークの左右の先端部が均等であるか、不均等であるかを示すＶマークの左右の長さの良否判定チャートと、ダイヤモンドのキューピッドの角度・長さの良否判定チャートと、キューピッドの面積のバラツキ判定手段と、各キューピッドの中心側に位置する矢先の交点のズレの判定手段と、ダイヤモンドの各キューピッドの矢先先端部がガードルに鋭く接触するか、幅をもって接触するか否かの矢先先端部の良否判定手段と、ＣＣＤカメラにて撮像したダイヤモンドの各キューピッド画像の明暗差が白い表示の個数に応じた明暗差判定手段を備えることを特徴とするダイヤモンドのハート＆キューピッド光学効果の良否判定装置。
【発明の詳細な説明】
【技術分野】
【０００１】
本発明は判定対象であるラウンドブリリアントカットダイヤモンド（以下、単にダイヤモンドという）を、寸法測定装置により測定した寸法を基にして、コンピュータグラフィック（以下、ＣＧという）でハート＆キューピッド（登録商標）画像を作成する方法、あるいは、前記ダイヤモンドをＣＣＤカメラで直接撮像（実写という）してハート＆キューピッド画像を得る方法、のいずれかにより得たハート＆キューピッド画像を基にして、ダイヤモンドのハート＆キューピッド光学効果の良否判定をプログラムソフトにより客観的に判定することを可能にするダイヤモンドのハート＆キューピッド光学効果の良否判定方法及びその装置に関する。
【背景技術】
【０００２】
従来の上記ダイヤモンドのハート＆キューピッド光学効果の良否判定では、ＣＣＤカメラで撮影した８つのハート画像及び８つのキューピッド画像を基にして、宝石鑑定士が独自の判定基準により、宝石の良否を官能的に判断していた。【０００３】
また、他の先行技術として、下記の特許文献１がある。
鑑定すべき宝石が配置される照明空間を有し該照明空間に配置された宝石を照明する宝石照明部と、前記宝石照明部の照明空間内において前記宝石の姿勢を変化可能に当該宝石を保持した保持手段と、前記宝石照明部の照明空間へ入射する光を生成する光源と、前記宝石照明部において照明されている宝石の反射光を取込み該宝石の拡大像を形成する拡大光学系と、前記拡大光学系により形成された宝石像を撮像する撮像手段と、前記撮像手段から取込まれた宝石画像を記憶する画像メモリと、少なくとも前記宝石画像が表示される表示手段と、前記画像メモリに記憶されている宝石画像の位置情報及び輝度情報の少なくとも一方の情報に基づいて、前記宝石の研磨状態、色調、クラリティー、カラット、内包状態のうちの少なくとも１つの品質情報を算出する品質算定手段を具備したことを特徴とする宝石鑑定装置がある（特許第３３９２９２６号の請求項１参照）。【０００４】
さらに、光源からの光を宝石照明部に入射して該宝石照明部内に配置された宝石をあらゆる方向から照明し、この宝石と対向する位置から宝石を撮像して画像情報を取込み、この画像情報をもとに前記宝石の輝度分布を測定してヒストグラムを作成し、このヒストグラムの最頻値及び最頻値より低輝度側の分布状態を解析し、その結果をもとに宝石の形状及び表面の研磨状態の良否を判別し、評価することを特徴とする宝石鑑定方法がある（特許第３３９２９２６号の請求項２０参照）。
【先行技術文献】
【特許文献】
【０００５】
【特許文献１】特許第３３９２９２６号公報
【発明の概要】
【発明が解決しようとする課題】
【０００６】
従来はダイヤモンドをＣＣＤカメラで撮影し、８つのハート画像と８つのキューピッド画像のそれぞれの画像を基にして、宝石鑑定士が宝石の良否を官能的に判断していたので、鑑定士の主観が入り、鑑定士としての経験年数、熟練度等の差異により判断が異なるという難点があった。【０００７】
また、上記特許文献１においては、熟練した宝石鑑定士の判断に依存することなく、客観的なデータに基づいて極めて信頼性の高い宝石鑑定を容易に実現し得る宝石鑑定装置及びその方法を提供することを目的としたものであるが、上記特許文献１には宝石のカット、カラー、クラリティー、カラット、表面研磨状態、内包物等の任意の品質情報を算出する（明細書００４２参照）旨の記載がされているのみで、本発明が意図するダイヤモンドの８つのハート画像と８つのキューピッド画像のそれぞれについての具体的な判定基準については何ら示されておらず、示唆する点の記載もない。【０００８】
本発明は、ダイヤモンドを直接ＣＣＤカメラで実写し、得られたハート＆キューピッド画像を基にしてダイヤモンドのハート＆キューピッド光学効果の良否を判定する場合、又はダイヤモンドを寸法測定装置で測定して得られたデータをＣＧで読み出し、得られたハート＆キューピッド画像を基にしてダイヤモンドのハート＆キューピッド光学効果の良否を判定する場合、のいずれにおいても、判定ソフトを用いた同一判断基準により客観的に判断することができるダイヤモンドのハート＆キューピッド光学効果の良否判定方法及びその装置を提供することを目的とする。【０００９】
また、本発明はダイヤモンドの８つのハート画像と８つのキューピッド画像のそれぞれについて、対称性、個々のハート及びキューピッドの形状の大きさ、相互のバランス、位置ずれ等の全体及び個々の形態を数値化して、ダイヤモンドのハート＆キューピッド光学効果の良否判定を定量的に行なうことが出来、かつ良否判断の対象となるダイヤモンドが手元になくても、そのダイヤモンドについて予めＣＧで作成したハート画像とキューピッド画像を送信するだけで、場所や時間を問わずに迅速かつ正確に同一のダイヤモンドのハート＆キューピッド光学効果の良否判定を行なうことが出来るダイヤモンドのハート＆キューピッド光学効果の良否判定方法及びその装置を提供することを目的とする。【００１０】
さらに、本発明ではダイヤモンドのＣＧに基づく画像は、予め良否判定対象となるダイヤモンドの寸法測定装置による寸法測定の段階で、そのダイヤモンドを特定するＩＤや記号が寸法測定データとともにＣＧ画像に入力されるので、従来のように、判定対象のダイヤモンドと別の実写画像を基に、鑑定士がダイヤモンドのハート＆キューピッド光学効果の良否を鑑定するというトラブルが解消され、ダイヤモンドのハート＆キューピッド光学効果の良否判定の信頼性を一層高めることが出来るダイヤモンドのハート＆キューピッド光学効果の良否判定方法及びその装置を提供することを目的とする。
【課題を解決するための手段】
【００１１】
本発明に係るダイヤモンドのハート＆キューピッド光学効果の良否判定方法は、ＩＤを付したラウンドブリリアントカットダイヤモンドを寸法測定装置で測定した寸法をコンピュータグラフィック（ＣＧという）で読み出し、ハート＆キューピッド画像及び該ＩＤを出力する工程、あるいは、ＣＣＤカメラで前記ダイヤモンドのハート＆キューピッド画像の撮像及びＩＤを出力する工程と、８つのハートマークの対称性、各ハート面積のバラツキ、各ハート先端部のズレ、各ハートの切れ込み深さ、各ハートの左右ショルダー幅の全体幅に対する割合、各ハートとその放射線上の内側に位置するＶマークとの境界部の間隔が対応する各ハートの全体幅に対する割合、前記各Ｖマークの面積と標準のハート面積の比、前記Ｖマークの右側の長さと左側の長さの比のデータをコンピュータのデータベースに格納し、該データを演算処理して該ハートマークの良否のランク分けの判定をする工程と、８つのキューピッドマークの対称性、各キューピッド面積の最大値と最小値の割合から求めるバラツキ度、各キューピッドの外側先端部と中間の交点と中心側の先端を結ぶ直線が重なるか、または角度を有するズレがあるか、各キューピッドの矢先先端部がガードルに鋭く接するか、またはガードル部に幅をもって接するかのデータをコンピュータのデータベースに格納し、該データを演算処理して該キューピッドマークの良否のランク分けの判定をする工程とを備えていることを特徴とする。【００１２】
請求項１記載のダイヤモンドのハート＆キューピッド光学効果の良否判定方法は、ハートマーク及びキューピッドマークの各対称性、各形状のズレ、ハートマークとＶマーク間の距離のズレを数値化してコンピュータで読み取り、該コンピュータで判定処理して良否のランク分けの判定をする工程を備え、そのランク分けの判定は可の領域と、不可の領域と、可及び不可の領域が存する３つの判定領域手段、または可の領域と、不可の領域が存する２つの判定領域手段を備えていることを特徴とする。【００１３】
請求項１又は２記載の前記ダイヤモンドをＣＣＤカメラにて撮像した場合におけるダイヤモンドのハート＆キューピッド光学効果の良否判定方法は、ハートマーク画像及びキューピッドマーク画像の明暗差の個数をコンピュータで読み出し、該コンピュータによる判定処理にて良否の判定をする工程を備えていることを特徴とする。【００１４】
本発明に係るダイヤモンドのハート＆キューピッド光学効果の良否判定装置は、ＣＣＤカメラによる実写画像によりハート＆キューピッド画像を得る手段、又は特定プロポーションで研磨したラウンドブリリアントカットダイヤモンドに対して照射した光のパターンの各部位を寸法測定装置で測定した寸法をコンピュータグラフィックで読み出し、ハート＆キューピッド画像を得る手段と、前記ダイヤモンドに付したと同一のＩＤを実写画像又はコンピュータグラフィック画像に読み出す手段と、該ハート＆キューピッド画像をコンピュータのデータベースに格納する手段と、ＩＤで管理された各ハート＆キューピッド画像を基にして、各判定項目についてコンピュータのデータベースから読み出された数値に基づいて演算するコンピュータの演算処理装置と、該演算処理に基づき前記ＩＤで管理された各ハート＆キューピッド画像に関する各判定項目の良否判定チャート及び良否判定手段とを備え、該各判定項目の良否判定チャートは、同一円周上に中心から放射状に配置された８つのハートマーク画像のそれぞれの角度による対称性の良否判定チャートと、８つの各ハート画像の面積が適正なハート画像の大きさであるか否かの良否判定チャートと、ハート画像の先端部のズレの良否判定チャートと、ハート画像の切れ込みの良否判定チャートと、各ハート画像の左右のショルダー幅の良否判定チャートと、各ハート画像とそのハート画像先端方向に位置するＶマークとの境界部の間隔の良否判定チャートと、ダイヤモンドの各ハート画像の先端部より内側に位置するＶマークの大きさの左右の長さのバラツキの良否判定チャートと、ハート画像の斜め側面とそのハート画像の内側に位置するＶマークとの間隔において、Ｖマークの左右の先端部が均等であるか、不均等であるかを示すＶマークの左右の長さの良否判定チャートと、ダイヤモンドのキューピッドの角度・長さの良否判定チャートと、キューピッドの面積のバラツキ判定手段と、各キューピッドの中心側に位置する矢先の交点のズレの判定手段と、ダイヤモンドの各キューピッドの矢先先端部がガードルに鋭く接触するか、幅をもって接触するか否かの矢先先端部の良否判定手段と、ＣＣＤカメラにて撮像したダイヤモンドの各キューピッド画像の明暗差が白い表示の個数に応じた明暗差判定手段を備えることを特徴とする。
【発明の効果】
【００１５】
本発明は、上記ダイヤモンドを直接ＣＣＤカメラで実写し、得られたハート＆キューピッド画像を基にしてダイヤモンドのハート＆キューピッド光学効果の良否を判定する場合、又はダイヤモンドを寸法測定装置で測定して得られたデータをＣＧで読み出し、得られたハート＆キューピッド画像を基にしてダイヤモンドのハート＆キューピッド光学効果の良否を判定する場合、のいずれにおいても、判定ソフトを用いた同一判断基準により客観的に判断することができるダイヤモンドのハート＆キューピッド光学効果の良否判定方法及びその装置が得られる。【００１６】
また、本発明はダイヤモンドの８つのハート画像と８つのキューピッド画像のそれぞれについて対称性、個々のハート及びキューピッドの形状の大きさ、相互のバランス、位置ずれ等の全体及び個々の形態等を数値化してコンピュータのデータベースに格納し、該データを読み出してダイヤモンドのハート＆キューピッド光学効果の良否判定を定量的に行なうことが出来る。【００１７】
本発明は、良否判断の対象となるＩＤを付したダイヤモンドが手元になくてもそのダイヤモンドについて予めＣＧで作成した同一のＩＤのハート画像とキューピッド画像がコンピュータのデータベースに格納されているので、インターネット回線を介して場所や時間を問わずに迅速かつ正確に同一のＩＤを付したダイヤモンドのハート＆キューピッド光学効果の良否判定を行なうことが出来る。【００１８】
さらに、本発明では判定対象となるＩＤを付したダイヤモンドを寸法測定装置で測定した数値をＣＧで読み出して作成した同一のＩＤのハート画像とキューピッド画像は、判定対象のダイヤモンドのハート画像及びキューピッド画像とが一対一で対応しているので、従来のように間違った実写画像を基に鑑定士がダイヤモンドの良否を鑑定するというトラブルが解消され、ダイヤモンドのハート＆キューピッド光学効果の良否判定の信頼性を一層高めることが出来る。
【図面の簡単な説明】
【００１９】
【図１】本発明のダイヤモンドのＣＧ又は実写のハート＆キューピッド画像を表示し、（ａ）は可の判定結果を示し、（ｂ）は不可の判定結果を示し、不可の判定理由箇所を赤丸（便宜上、図面では白黒表示である）で表示している。
【図２】本発明のダイヤモンドのハート＆キューピッド光学効果の良否判定対象となるＣＧによるハート＆キューピッドマーク画像を示し、（ａ）はハートマーク画像を、（ｂ）はキューピッドマーク画像をそれぞれ示す。
【図３】本発明のダイヤモンドのハート＆キューピッド光学効果の良否判定対象となる実写によるハート＆キューピッドマーク画像を示し、（ａ）はハートマーク画像を、（ｂ）はキューピッドマーク画像をそれぞれ示す。
【００２０】
【図４】（ａ）は本発明のダイヤモンドの８つのハートマーク画像の対称性の良否を判断するためのハートマーク中心間の角度Ｂ１〜Ｂ８を示す。（ｂ）は隣接するハートマーク中心間の角度から４５度を引いた総和の絶対値をコンピュータで読み出し、演算処理で求めた対称性の良否をランクＡ（可）およびランクＣ（不可）の良否判定チャートで示す。
【図５】（ａ）は本発明のダイヤモンドの各ハートマークの面積Ｃ１〜Ｃ８を示し、画像のバラツキ度と各ハート画像が適正な大きさであるか否かを判断するための図面を示し、（ｂ）はその一つのハートマークの面積は輪郭で囲われた箇所を示し、（ｃ）は個々のハートマークの面積が適正な大きさであるか否かをランクＡ（可）およびランクＣ（不可）の良否判定チャートで示す。
【図６】（ａ）は本発明のダイヤモンドの各ハートマークの先端部のズレを示す図面で、（ｂ）はハートマークの先端部が一点に集中していない例を示す図面で、（ｃ）はハートマークの先端部が一点に集中している例を示す図面で、（ｄ）はハートの先端部が一点に集中している位置からのズレの程度をランクＡからランクＣの良否判定チャートで示す。（ｅ）は判定結果表示装置によるハート先端部のズレの良否判定結果を示す表である。
【００２１】
【図７】（ａ）〜（ｆ）は本発明のダイヤモンドの各ハートマークの切れ込みの深さを示す説明図で、（ｇ）は本発明のダイヤモンドの各ハートマーク画像の切れ込みの深さから求めたダイヤモンドのハート＆キューピッド光学効果の良否を良否判定チャートで示す。（ｈ）は判定結果表示装置によるハート切れ込みの深さの良否判定結果を示す表である。
【図８】（ａ）、（ｂ）は本発明のダイヤモンドの各ハートマークの左右のショルダー部の幅の良否を判定するための測定部位を示す説明図で、（ｃ）は各ハートマーク画像の左右のショルダー部の幅の良否を良否判定チャートで示す。（ｄ）は判定結果表示装置によるハートショルダー部の良否判定結果を示す表である。
【図９】（ａ）、（ｂ）は、本発明のダイヤモンドの各ハートマークとそのハートマーク先端方向に位置するＶマークとの境界部の間隔の良否を判定する図面で、（ｃ）は、各ハートマークとそのハートマーク先端方向に位置するＶマークとの境界部の間隔の良否を良否判定チャートで示す。（ｄ）は判定結果表示装置による境界部の間隔の良否判定結果を示す表である。
【００２２】
【図１０】（ａ）〜（ｃ）は、本発明のダイヤモンドの各ハートマークの先端部より内側に位置するＶマークの大きさの左右のバラツキの良否を判定する図面で、（ｄ）はそのＶマークの良否判定チャートを示す。（ｅ）は判定結果表示装置によるＶマークの大きさの良否判定結果を示す表である。
【図１１】（ａ）〜（ｃ）は、本発明のダイヤモンドの各Ｖマークの左右の不揃いの良否を判定する図面で、（ｄ）はそのＶマークの良否を良否判定チャートで示す。（ｅ）は判定結果表示装置によるＶマークの左右長さの良否判定結果を示す表である。
【図１２】（ａ）は、本発明のダイヤモンドの各キューピッドの対称性と長さの良否を判定する図面である。（ｂ）は、そのキューピッドの対称性の良否を良否判定チャートで示す。（ｃ）はそのキューピッドの長さの良否を良否判定チャートで示す。
【００２３】
【図１３】（ａ）は本発明のダイヤモンドの各キューピッドの面積のバラツキを示す図である。
【図１４】（ａ）、（ｂ）、（ｃ）、（ｄ）、（ｅ）はキューピッドの矢先のズレの態様を示す。
【図１５】（ａ）、（ｂ）、（ｃ）は本発明のダイヤモンドの各キューピッドの矢先先端部の鋭さの程度の態様を示す。
【００２４】
【図１６】（ａ）、（ｂ）、（ｃ）、（ｄ）、（ｅ）は本発明のダイヤモンドの各キューピッドの明暗差を示す。キューピッド画像の明暗差は、便宜上明るさの濃淡に応じてハッチングの間隔で示した。
【図１７】本発明のダイヤモンドのハート＆キューピッド光学効果の良否判定装置の構成を示す説明図である。
【図１８】本発明のダイヤモンドのハート＆キューピッド光学効果の良否判定方法を示すフローシートである。
【発明を実施するための形態】
【００２５】
以下、本発明の一実施例を図面に基づいて説明する。先ず、ＣＧ画像の概略は次の通りである。
ラウンドブリリアントカットダイヤモンド１（以下、単にダイヤモンドという）はテーブル（図示せず）を含むガードル（図示せず）から上のクラウン（図示せず）側を真上から見たダイヤモンドの形状と、ガードルから下のパビリオン（図示せず）側から見たダイヤモンドの形状について、各部の寸法・角度を正確に測定する。ダイヤモンドの、例えばテーブル面に入射した光はその表面で一部反射光線となり外部に発散し、残りはダイヤモンド内に屈折した屈折光線となり、パビリオン面で屈折して大気に放射される。ダイヤモンド内の屈折光線は入射角度により全反射する場合もある。本実施例でのダイヤモンドの屈折率を２．４１７で計算した場合を示すが、必ずしもこの数値に限定されるものではない。本例では、例えばテーブル及びクラウン側の真上から入射する光束は1ｍｍ当たり１０００本（１μ）としてダイヤモンドの端から端まで実施した場合を示したが、必ずしもこの数値に限定されない。例えばテーブル及びクラウン側を真上から縦横方向にミクロンオーダーで格子状に仕切り、この面に垂直方向から光束をダイヤモンドに入射させればその光跡をシミュレーションしてハート画像が得られ、反対側のパビリオン側からの光束を入射させることによりキューピッド画像が得られる。
【００２６】
本発明に係るダイヤモンドのハート＆キューピッド光学効果の良否判定方法は、判定対象であるＩＤを付したダイヤモンド１の寸法を、寸法測定装置５で測定し、その測定結果をコンピュータグラフィック（ＣＧという）で読み出し、該ＩＤを付したハート＆キューピッド画像を得る工程、又はＣＣＤカメラで前記ダイヤモンドのハート＆キューピッド画像の撮像工程を経る。次に、８つのハートマークについて、対称性、面積のバラツキ、先端部のズレ、切れ込みの深さ、左右ショルダー幅の全体幅に対する割合、各ハートマークとその放射線上の内側に位置するＶマークとの境界部の間隔が対応する各ハートの全体幅に対する割合、前記各Ｖマークの面積と標準のハートマークの面積の比、前記Ｖマークの右側の長さと左側の長さの比をそれぞれコンピュータで読み出し、該コンピュータで読み出した数値を演算処理して、該マークの良否のランク分けの判定をする工程を経る。次に、８つのキューピッドマークについて、対称性、面積の最大値と最小値の割合から求めるバラツキ度、外側先端部と中間の交点と中心側の先端を結ぶ直線が重なるか、あるいは角度を有するズレがあるか、矢先先端部がガードルに鋭く接するか、あるいはガードル部に幅をもって接するか、をコンピュータで読み取り、該読み取った数値をコンピュータで判定処理して良否のランク分けの判定をする工程を経る。
【００２７】
図４は本発明のダイヤモンドのハート＆キューピッド光学効果の良否判定対象となるＣＧによるハートマーク画像を示し、（ａ）は本発明のダイヤモンドの８つのハートマーク画像の対称性の良否を判断するためのハートマーク中心間の角度Ｂ１〜Ｂ８を示す。（ｂ）は隣接するハートマーク中心間の角度から４５度を引いた総和の絶対値から求めた対称性の良否判定を、ＡおよびＣの良否判定チャートで示す。
本発明は、ダイヤモンドのハート＆キューピッド光学効果の良否を判定する判定手段、すなわち判定結果表示装置を備えており、判定結果は８本のバー（本実施例および本図では、いずれもバーの表示を省略している）が、Ａ、Ｂ、ＣまたはＡ、Ｃの領域のいずれかに表示されることにより得られる。図４では、この良否判定表は、８個のハートマーク画像が左右対称である場合は、チャート中Ａの範囲の上に８本のバーが立ち、ランクＡとして判定は可となる。左右対称でないハートマーク画像が１個でもあれば、チャート中Ｃの範囲の上に１本のバーが立ち、ランクＣとして判定は不可となる。このように、判定の際に、８本のバーがチャート中Ａ、Ｂ、Ｃの範囲のいずれかの範囲の上に立ち、バーの本数によってダイヤモンドの良否を判定する。以下の図においても、判定は同様の方法で行われるが、チャート中Ｂの範囲の上に１〜３本のバーが立った場合には可とし、４本以上の場合には不可となることを付記する。
判定項目として、ハートマークについては、（１−１）シンメトリー（ハートの対称性の善し悪し）、（１―２）面積のバラツキ、（１−３）先端部のズレ、（１―４）切れ込み深さ、（１―５）ショルダー幅、（１―６）ハートマークとＶマークの境界部間隔、（１―７）Ｖマークの面積のバラツキ、（１―８）Ｖマークの不揃い、をそれぞれ判定対象とする。
【００２８】
先ず、ハートの対称性の善し悪しについては、図４（ａ）で、角度Ｂ１〜Ｂ８は角度４５度が標準である。Ｂ１―４５＝｜β１｜、Ｂ２―４５＝｜β２｜、Ｂ３―４５＝｜β３｜、Ｂ４―４５＝｜β４｜、Ｂ５―４５＝｜β５｜、Ｂ６―４５＝｜β６｜、Ｂ６―４５＝｜β６｜、Ｂ７―４５＝｜β７｜、Ｂ８―４５＝｜β８｜の和｜Σβ｜を求める。Σβが大きいほどシンメトリーが悪いということになる。ただし、｜Σβ｜の閾値は変更可とする。
【００２９】
図４（ｂ）に示す対称性の良否判定をランクＡおよびＣの良否判定チャートで示し、０．００以上２．００未満の場合はランクＡでハートの対称性が可と判断し、２．００以上ではランクＣで対称性が不可と判断される。尚、ランクＡおよびランクＣの数値範囲は本例に限定されるものではない。
【００３０】
図５（ａ）は、本発明のダイヤモンドの各ハートマークの面積Ｃ１〜Ｃ８を示し、各ハート画像のバラツキ度と各ハート画像が適正な大きさであるか否かを判断するための図面である。（ｂ）はその一つのハートマークの面積を輪郭で囲われた箇所で示し、（ｃ）は個々のハートマークの面積が適正な大きさであるか否かをＡおよびＣの良否判定チャートで示し、０．００以上０．４０未満の場合はランクＡでハートの面積が適正であるとして可と判断し、０．４０以上ではランクＣで不可と判断される。
赤線（本図では作図上、黒で表示される）で囲った各ハートの面積をそれぞれＣ１〜Ｃ８とする。各ハート面積の最大値をＣｍａｘ、最小値をＣｍｉｎとし、
Ｃｍａｘ／Ｃｍｉｎ＝Ｃとする。このＣ値が１であれば大きさにバラツキがないといえる。本実施例では、Ｃ値が１．００〜１．１１未満は可とし、１．１１以上は不可とした場合を示す。上記の最大値Ｃｍａｘ、最小値をＣｍｉｎの値から求められるのは、個々のハートの面積のバラツキ度であり、適正な大きさのハートであるかの判断が入らない。そこで、適正な大きさのハートであるか否かの判断は数式１により計算され、［（最も標準とするハートの面積Ｃ）／（全体の面積（標準））］×１００というファクターとの差異により求められる。この値はダイヤモンドの大きさに関係なく一定の理想とする数値を設定し得る。官能的に、この値は、［２．９１〜３．２９］であり、平均値で３．１８程度が標準値である。ただし、数式１では標準値を３．２として計算した。Ｃ１からＣ８の数式1で求めた数値Σｄが０に近いほど、ハートの大きさが標準に近い。
【００３１】
【数１】
0005635700.tif 000002
【００３２】
図６（ａ）は本発明のダイヤモンドの各ハートマークの先端部のズレを示す図である。（ｂ）はハートマークの先端部が一点に集中していない例を示す。（ｃ）はハートマークの先端部の一点に集中している例を示す。（ｄ）はハートの先端部が一点に集中している位置からのズレの程度を、ランクＡからランクＣの良否判定チャートで示す。（ｅ）は判定結果表示装置によるハート先端部のズレの良否判定結果を示す表である。
図６（ｂ）と（ｃ）を比較すると、（ｂ）はハートの先端部が一点に集中していない。先端部のズレをａ１、ハートの全体長さをＡとすると、
ａ１／Ａ１＝Ａとなる。Ａ１を１として、ａ１が０．００以上０．０６未満の範囲では判定は可であり、０．０６以上０．１７未満は可と不可が混在する範囲であり、０．１７以上は不可とする。判定表においては、ハート先端部にズレのないハートマークが８個あれば判定は可となり、チャート中Ｃのゾーンに属するハートマークが１個でもあれば不可となり、チャート中、Ｂのゾーンに属するハートマークが１個から３個の場合は可で、４個以上は不可とすることを示す。
【００３３】
図７（ａ）〜（ｆ）は、本発明のダイヤモンドの各ハートマークの切れ込みの深さを示す説明図である。図７（ａ）に示す一つのハートマークについて、図７（ｂ）では、切れ込みの深さをｅ１、ハートマーク全体の長さを１００とすると、ハートマーク全体の長さに対する切れ込みの深さの割合はｅ１／１００となる。同様に図７（ｄ）では、ｅ２／１００となり、図７（ｆ）では、ｅ３／１００である。標準的なハートマークの切れ込みの深さの割合は０．２２９である。したがって、ハート切れ込みの深さの割合が図７（ｇ）に示すように、０．２０以上０．３７未満の場合はランクＡで可と判定し、０．１４以上０．２０未満又は０．３７以上０．４６未満の範囲はランクＢで可と不可が混在し、０．００以上０．１４未満又は０．４６以上ではランクＣで不可である。判定表においては、ハート切れ込みの深さが良とされるハートマークが８個あれば判定は可となり、チャート中Ｃのゾーンに属するハートマークが１個でもあれば不可となり、チャート中Ｂのゾーンに属するハートマークが１個から３個の場合は可で、４個以上は不可とすることを示す。
【００３４】
図８（ａ）、（ｂ）は本発明のダイヤモンドの各ハートマークの左右のショルダー部の幅の良否を判定するための測定部位を示す説明図である。図８（ｃ）は各ハートマーク画像の左右のショルダー部の幅の良否を判定チャートで示す。
図８（ａ）に示すように、各ハートの幅をＡ１、Ａ２、……Ａ７、Ａ８とし、一つのハートの左側ショルダー幅をａ１、右側ショルダー幅をａ２とし、（ａ１／Ａ１）＝ｋ１、（ａ２／Ａ１）＝ｋ２とする。以後、順次、（ａ１／Ａ２）＝ｋ３、（ａ２／Ａ２）＝ｋ４、……（ａ１／Ａ８）＝ｋ１５、（ａ２／Ａ８）＝ｋ１６とする。
図８（ｃ）は、各ハートマーク画像の左右のショルダー部の幅の良否判定チャートで、０．１０以上０．３０未満はランクＡで可とし、０．０５以上０．１０未満又は０．３０以上０．５３未満はランクＢで可と不可が混在し、０．００以上０．０５未満又は０．５３以上はランクＣで不可と判定する。（ｄ）は判定結果表示装置によるハーショルダー部の良否判定結果を示す表である。判定表においては、ハートショルダー部の幅が良とされるハートマークが８個あれば判定は可となり、チャート中Ｃのゾーンに属するハートマークが１個でもあれば不可となり、チャート中Ｂのゾーンに属するハートマークが１個から３個の場合は可で、４個以上は不可とすることを示す。
【００３５】
図９（ａ）および（ｂ）は、本発明のダイヤモンドの各ハートマークとそのハートマーク先端方向に位置するＶマークとの境界部の間隔の良否を判定する図面を示す。（ｃ）は各ハートマークとそのハートマーク先端方向に位置するＶマークとの境界部の間隔の良否を良否判定チャートで示す。（ｄ）は判定結果表示装置による境界部の間隔の良否判定結果を示す表である。
各ハートマークとそのハートマーク先端方向に位置するＶマークとの境界部の間隔をａ１とし、ハートマークの幅をＡ１とし、（ａ１／Ａ１）を求め、Ａ１を１として、ａ１が０．０２以上０．１５未満の範囲の場合はランクＡで可とし、ａ１が０．０１以上０．０２未満又は０．１５以上０．３３未満の範囲の場合はランクＢで可と不可が混在し、ａ１が０．００以上０．０１未満又は０．３３以上の場合はランクＣで不可とする。判定表においては、境界部の間隔が良とされるハートマークが８個あれば判定は可となり、チャート中Ｃのゾーンに属するハートマークが１個でもあれば不可となり、チャート中Ｂのゾーンに属するハートマークが１個から３個の場合は可で、４個以上は不可とすることを示す。
【００３６】
図１０（ａ）〜（ｃ）は本発明のダイヤモンドの各ハートマークの先端部より内側に位置するＶマークの大きさの左右長さのバラツキの良否を判定する図面であり、（ｄ）はそのＶマークの大きさの良否を判定チャートで示す。（ｅ）は判定結果表示装置によるＶマークの大きさの良否判定結果を示す表である。
８個のＶマークを各々ｂ１、ｂ２、……ｂ８とする。ダイヤモンド全体画像に占める標準のハートマークの面積をＡとし、それに対する検査対象ダイヤモンドのＶマークの面積をｂ１〜ｂ８とし、（ｂ１／Ａ）、（ｂ２／Ａ），……（ｂ７／Ａ）、（ｂ８／Ａ）を求める。閾値は可変とする。０．１３以上０．２５未満の場合はランクＡで可とし、０．０２以上０．１３未満又は０．２５以上０．４２未満の場合はランクＢで可と不可が混在し、０．００以上０．０２未満又は０．４２以上の場合はランクＣで不可となる。判定表においては、Ｖマークの大きさが良とされるハートマークが８個あれば判定は可となり、チャート中Ｃのゾーンに属するハートマークが１個でもあれば不可となり、チャート中Ｂのゾーンに属するハートマークが１個から３個の場合は可で、４個以上は不可とすることを示す。
【００３７】
図１１（ａ）〜（ｃ）は、本発明のダイヤモンドの各Ｖマークの左右長さの不揃いの良否を判定する図面で、（ｄ）はそのＶマークの良否判定チャートを示す。
図１１（ａ）はハートマークの斜め側面とそのハートマークの内側に位置するＶマークとの間隔を示す。図１１（ｂ）はＶマークの先端部が均等である場合の例を示した図である。図１１（ｃ）はＶマークの左右の先端部が不均等である場合の例を示した図である。Ｖマークの左側の長さをＡとし、Ｖマークの右側の長さをＢとし、Ｂ／Ａ＝αとする。図１１（ｄ）は、はそのＶマークの左右の長さの良否を判定チャートで示す。（ｅ）は判定結果表示装置によるＶマークの左右の長さの良否判定結果を示す表である。α値が０．８０以上１．２０未満の範囲はランクＡで可とする。α値が０．００以上０．７０未満又は１．３０以上の場合はランクＣで不可とし、α値が０．７０以上０．８０未満又は１.２０〜１．３０の範囲はランクＢとする。判定表においては、Ｖマークの左右の長さが良とされるハートマークが８個あれば判定は可となり、チャート中Ｃのゾーンに属するハートマークが１個でもあれば不可となり、チャート中Ｂのゾーンに属するハートマークが１個から３個の場合は可で、４個以上は不可とすることを示す。
【００３８】
図１２（ａ）は本発明のダイヤモンドの各キューピッドの対称性（角度・長さ）の良否を判定する図面であり、図１２（ｂ）はそのキューピッドの対称性の良否判定をチャートで示す。図１２（ｃ）はそのキューピッドの長さの良否判定をチャートで示す。
８本のキューピッドの矢先先端から中心に伸びる線のそれぞれをＢ１、Ｂ２、Ｂ３、……Ｂ８とし、キューピッド間の角度Ａ１（Ｂ１とＢ２の角度）、Ａ２、Ａ３、……、Ａ８とし、Ａ１−４５＝｜α１｜、Ａ２−４５＝｜α２｜、Ａ３−４５＝｜α３｜、……、Ａ７−４５＝｜α７｜、Ａ８−４５＝｜α８｜を求める。α１〜α８の合計｜Σα｜が大きいほどシンメトリーが悪いことになる。ただし、｜Σβ｜の閾値は変更可とする。図１２（ｂ）に示す良否判定チャートでは、０．００以上６．２０未満の範囲にある場合はランクＡで可と判断し、６．２０以上である場合はＣランクで不可である。
キューピッドの長さの最大値をＢｍａｘとし、最小値をＢｍｉｎとする。
Ｂｍａｘ―Ｂｍｉｎが０に近いほどキューピッドの長さにバラツキがないと言える。図１２（ｃ）に示す各キューピッドの長さのバラツキの判定は、チャート中Ａに属する０.００以上０．１０の範囲はランクＡで可であり、チャート中Ｃに属する０．１０以上である場合はランクＣで不可である。
【００３９】
図１３（ａ）は本発明のダイヤモンドの各キューピッドの面積のバラツキを示す図である。ダイヤモンド全体の面積に対し、キューピッドの面積のバラツキについて説明する。赤線（本図では作図上、黒で表示される）で囲った各キューピッドの面積Ｃ１〜Ｃ８とする。キューピッドの面積の最大値をＣｍａｘとし、最小値をＣｍｉｎとする。Ｃｍａｘ／Ｃｍｉｎ＝Ｃとする。このＣの値が１であれば大きさにバラツキがないと言える。Ｃ値が１．００以上１．３４未満であれば可と判定し、Ｃ値が１．３４以上であれば不可と判定する。
【００４０】
図１４（ａ）、（ｂ）、（ｃ）、（ｄ）、（ｅ）はキューピッドの矢先のズレの態様を示す。各キューピッドの矢先のズレに対しては次のように評価する。各キューピッドの先端ａと交点ｂを結ぶ仮想線と、交点ｂと先端ｃを結ぶ仮想線とが直線ならば可とする。先端ａと交点ｂを結ぶ仮想線と、交点ｂと先端ｃを結ぶ仮想線とがなす角度が１．５度以上なら不可とする。ただし、前記角度１．５度とする判定基準を設定するテーブルを用意し、変更することが可能である。角度を求める場合、キューピッドの先端部が不明確の場合が多いので、仮想線を図１４（ｅ）に示すように線を引き、中心線を２等分した点線と一点鎖線がなす角度を求めて判定数値とする。
【００４１】
図１５（ａ）、（ｂ）、（ｃ）は本発明のダイヤモンドの各キューピッドの矢先先端部の鋭さの程度の態様を示す図である。図１５（ａ）に示すキューピッドの各先端部が図１５（ｂ）の上部に示すように矢先先端部がガードル部に鋭く接触した状態は可とする。反対に、図１５（ｂ）の下側に示したキューピッドの矢先先端部がガードル部に幅をもって接触した状態は不可とする。図１５（ｃ）に示すように、キューピッドの幅Ａに対し矢先先端部の幅をＢとし、Ｂ／Ａ＝αとし、αが０．３２以上は不可とする。ただし、αの閾値は変更可能とする。
【００４２】
図１６（ａ）、（ｂ）、（ｃ）、（ｄ）、（ｅ）は、ＣＣＤカメラにて撮像した本発明のダイヤモンドの各キューピッドの明暗差を示す図である。図１６（ａ）は各キューピッドの明暗差を示す箇所を楕円で囲った状態を示す図である。図１６（ｂ）〜（ｅ）はキューピッド画像の二値化を明るさに応じて４段階のＡ、Ｂ、Ｃ、Ｄに分類し、Ａは完全に白く表示されている場合、Ｂはややグレーがかった状態の場合、Ｃはかなりグレーが勝った状態の場合、Ｄは完全な黒の状態を示した場合である。判定表中、Ａの明るさのキューピッド画像が８個ある場合は可とし、Ｂが１個から３個の場合は可とし４箇所以上は不可とし、Ｃ及びＤが１個でもある場合はいずれも不可と判定する。
【００４３】
図１７は本発明のダイヤモンドのハート＆キューピッド光学効果の良否判定装置を示す説明図である。
ハート＆キューピッド画像を得る手段として、２通りある。一つは判定対象であるＩＤを付したダイヤモンド１をＣＣＤカメラ７で直接、撮像する場合であり、他方はＩＤを付したダイヤモンド１を寸法測定装置５で測定して得られたデータをＣＧ（コンピュータグラフィック）で読み出し、照射した光のパターンから得られるハート＆キューピッド画像を得る場合である。実写又はＣＧによるハート＆キューピッド画像は対象となるダイヤモンド１と同一のＩＤとともにコンピュータのデータベース８に格納される。ＩＤで管理された各ハート＆キューピッド画像を基にして各判定項目について予め読み出された数値の演算装置９を介して判定結果表示装置１０により、それぞれの判定についてランクＡ（可）、ランクＣ（不可）及びランクＢ（バーの本数により可又は不可に振り分けられる）の判定がされる。
【００４４】
図１８は本発明のダイヤモンドの良否判定方法を示すフローシートである。ハート＆キューピッド画像はＣＧ画像または実写画像のいずれにも適用される。ハート＆キューピッド画像のそれぞれから読み出し、演算装置９を介して演算処理する。ランクＡ、Ｂ、Ｃの判定を実行し、ランクＡは可、ランクＣは不可、ランクＢはバーの数により可／不可の判定がされる。
【産業上の利用可能性】
【００４５】
本発明は、宝石産業においてダイヤモンドに対する良否判定が定量的、定性的に客観的に判断される結果、品質に対する評価が一定になり取引業者及び消費者に対し安心した取引が提供され、取引業界の信頼性が一層高まることとなる。
【符号の説明】
【００４６】
１          ダイヤモンド（ラウンドブリリアントカットダイヤモンド）
２          ハートマーク
３          Ｖマーク
４          キューピッドマーク
５          寸法測定装置
６          ＣＧ作成装置
７          ＣＣＤカメラによる実写撮像装置
８          画像及び判定結果データベース
９          判定項目の読み出し・演算装置
１０        判定結果表示装置
【図１】
0005635700.tif 000003
【図２】
0005635700.tif 000004
【図３】
0005635700.tif 000005
【図４】
0005635700.tif 000006
【図５】
0005635700.tif 000007
【図６】
0005635700.tif 000008
【図７】
0005635700.tif 000009
【図８】
0005635700.tif 000010
【図９】
0005635700.tif 000011
【図１０】
0005635700.tif 000012
【図１１】
0005635700.tif 000013
【図１２】
0005635700.tif 000014
【図１３】
0005635700.tif 000015
【図１４】
0005635700.tif 000016
【図１５】
0005635700.tif 000017
【図１６】
0005635700.tif 000018
【図１７】
0005635700.tif 000019
【図１８】
0005635700.tif 000020